【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
クライアント装置と、当該クライアント装置と通信媒体を介して通信可能で、サービスを提供するサービス提供装置とを有する通信システムであって、
前記クライアント装置は、
前記サービス提供装置に対してイベントの通知を要求する通知要求を発行する通知要求手段と、
前記サービス提供装置から通知されるイベントを処理するイベント処理手段と、
前記イベント処理手段が稼動状態であることを前記サービス提供装置に通知する通知手段とを有し、
前記サービス提供装置は、
イベントが発生した場合、前記通知要求手段からの前記通知要求と前記通知手段からの通知とに基づいて、前記通知要求手段が前記通知要求を発行し、かつ前記イベント処理手段が稼動状態であるクライアント装置に当該イベントの発生を通知するイベント通知手段と、
を有することを特徴とする通信システム。
【請求項２】
前記サービス提供装置は、前記通知要求を発行したクライアント装置の識別情報、前記クライアント装置における前記イベントの通知先のアドレス、及び前記クライアント装置の前記イベント処理手段の稼動状況を登録する登録手段を更に有することを特徴とする請求項１に記載の通信システム。
【請求項３】
前記イベント処理手段は、前記サービス提供装置から通知されるイベントを処理する機能を有するソフトウェアであり、
前記通知手段は、前記サービス提供装置から通知されるイベントを処理する機能を有するソフトウェアが少なくとも１つが稼動状態にある場合に、前記イベント処理手段が稼動状態であると通知することを特徴とする請求項１又は２に記載の通信システム。
【請求項４】
前記通知手段は、前記サービス提供装置から通知されるイベントを処理するイベント処理手段の少なくとも１つが稼動状態に遷移した場合、前記イベント処理手段が稼動状態であると通知することを特徴とする請求項１又は２に記載の通信システム。
【請求項５】
前記通知手段は、稼動状態である前記イベント処理手段の数が０になると前記イベント処理手段が稼動状態でないと通知することを特徴とする請求項４に記載の通信システム。
【請求項６】
前記通知手段は、前記通知要求手段が前記通知要求を発行した後に、前記イベント処理手段が稼動状態であることを前記サービス提供装置に通知することを特徴とする請求項１乃至５のいずれか１項に記載の通信システム。
【請求項７】
前記イベント通知手段は、前記通知要求手段が前記通知要求を発行したにも拘わらず前記イベント処理手段が稼動状態でないクライアント装置にはイベントの発生を通知しないことを特徴とする請求項１乃至６のいずれか１項に記載の通信システム。
【請求項８】
前記クライアント装置は更に、前記イベント処理手段が稼動状態であるかを判断する判断手段を有し、
前記通知手段は、前記イベント処理手段が稼動状態であると前記判断手段が判断した場合に、前記イベント処理手段が稼動状態であることを前記サービス提供装置に通知することを特徴とする請求項１乃至７のいずれか１項に記載の通信システム。
【請求項９】
サービスを提供するサービス提供装置と通信媒体を介して通信可能な通信装置であって、
前記サービス提供装置に対してイベントの通知を要求する通知要求を発行する通知要求手段と、
前記サービス提供装置から通知されるイベントを処理するイベント処理手段と、
前記イベント処理手段が稼動状態であることを前記サービス提供装置に通知する通知手段と、
を有することを特徴とする通信装置。
【請求項１０】
前記通知手段は、前記通知要求手段が前記通知要求を発行した後に、前記イベント処理手段が稼動状態であることを前記サービス提供装置に通知することを特徴とする請求項９に記載の通信装置。
【請求項１１】
前記イベント処理手段が稼動状態であるかを判断する判断手段を更に有し、
前記通知手段は、前記イベント処理手段が稼動状態であると前記判断手段が判断した場合に、前記イベント処理手段が稼動状態であることを前記サービス提供装置に通知することを特徴とする請求項９又は１０に記載の通信装置。
【請求項１２】
通信媒体を介してクライアント装置と通信可能で、サービスを提供する通信装置であって、
イベントの通知を要求する通知要求を前記クライアント装置から受信する第１の受信手段と、
前記通信装置から通知されるイベントを処理するイベント処理手段が前記クライアント装置において稼動状態であることを示す情報を当該クライアント装置から受信する第２の受信手段と、
イベントが発生した場合、前記第１の受信手段により受信された前記通知要求と前記第２の受信手段により受信された前記情報とに基づいて、前記通知要求を発行し、かつ前記イベント処理手段が稼動状態であるクライアント装置に当該イベントの発生を通知するイベント通知手段と、
を有することを特徴とする通信装置。
【請求項１３】
前記イベント通知手段は、前記通知要求を発行したにも拘わらず前記イベント処理手段が稼動状態でないクライアント装置にはイベントの発生を通知しないことを特徴とする請求項１２に記載の通信装置。
【請求項１４】
クライアント装置と、当該クライアント装置と通信媒体を介して通信可能で、サービスを提供するサービス提供装置とを有する通信システムの制御方法であって、
前記クライアント装置が、前記サービス提供装置に対してイベントの通知を要求する通知要求を発行する通知要求工程と、
前記クライアント装置が、前記サービス提供装置から通知されるイベントを処理するイベント処理手段が稼動状態であることを前記サービス提供装置に通知する通知工程と、
イベントが発生した場合、前記サービス提供装置が、前記通知要求工程により発行された前記通知要求と前記通知工程による通知とに基づいて、前記通知要求を発行し、かつ前記イベント処理手段が稼動状態であるクライアント装置に当該イベントの発生を通知するイベント通知工程と、
を有することを特徴とする通信システムの制御方法。
【手続補正２】
【補正対象書類名】明細書
【補正対象項目名】００１１
【補正方法】変更
【補正の内容】
【００１１】
上記目的を達成するために本発明の一態様に係る通信システムは以下のような構成を備える。即ち、
クライアント装置と、当該クライアント装置と通信媒体を介して通信可能で、サービスを提供するサービス提供装置とを有する通信システムであって、
前記クライアント装置は、
前記サービス提供装置に対してイベントの通知を要求する通知要求を発行する通知要求手段と、
前記サービス提供装置から通知されるイベントを処理するイベント処理手段と、
前記イベント処理手段が稼動状態であることを前記サービス提供装置に通知する通知手段とを有し、
前記サービス提供装置は、
イベントが発生した場合、前記通知要求手段からの前記通知要求と前記通知手段からの通知とに基づいて、前記通知要求手段が前記通知要求を発行し、かつ前記イベント処理手段が稼動状態であるクライアント装置に当該イベントの発生を通知するイベント通知手段と、を有することを特徴とする。
【手続補正３】
【補正対象書類名】明細書
【補正対象項目名】００１２
【補正方法】変更
【補正の内容】
【００１２】
上記目的を達成するために本発明の一態様に係る通信装置は以下のような構成を備える。即ち、
サービスを提供するサービス提供装置と通信媒体を介して通信可能な通信装置であって、
前記サービス提供装置に対してイベントの通知を要求する通知要求を発行する通知要求手段と、
前記サービス提供装置から通知されるイベントを処理するイベント処理手段と、
前記イベント処理手段が稼動状態であることを前記サービス提供装置に通知する通知手段と、を有することを特徴とする。
【手続補正４】
【補正対象書類名】明細書
【補正対象項目名】００１３
【補正方法】変更
【補正の内容】
【００１３】
上記目的を達成するために本発明の一態様に係る通信システムの制御方法は以下のような工程を備える。即ち、
クライアント装置と、当該クライアント装置と通信媒体を介して通信可能で、サービスを提供するサービス提供装置とを有する通信システムの制御方法であって、
前記クライアント装置が、前記サービス提供装置に対してイベントの通知を要求する通知要求を発行する通知要求工程と、
前記クライアント装置が、前記サービス提供装置から通知されるイベントを処理するイベント処理手段が稼動状態であることを前記サービス提供装置に通知する通知工程と、
イベントが発生した場合、前記サービス提供装置が、前記通知要求工程により発行された前記通知要求と前記通知工程による通知とに基づいて、前記通知要求を発行し、かつ前記イベント処理手段が稼動状態であるクライアント装置に当該イベントの発生を通知するイベント通知工程と、を有することを特徴とする。